(57)【特許請求の範囲】
【請求項１】
帯状ガラスのエッジ領域を垂直面内に案内するアセンブリであって、
（ａ）第１垂直軸および第２垂直軸を備えた本体、
（ｂ）支持体上に取り付けられた、垂直方向に間隔をおいて設けられた複数のホイールからなる第１組のホイールであって、該複数のホイールが前記帯状ガラスのエッジ領域に接触不能な第１位置から、前記ホイールが前記帯状ガラスのエッジ領域に接触して該エッジ領域を案内し得る第２位置まで前記第１垂直軸の周りを回動可能であり、それぞれがガラス係合面を備えている第１組のホイール、
（ｃ）支持体上に取り付けられた、垂直方向に間隔をおいて設けられた複数のホイールからなる第２組のホイールであって、該複数のホイールが前記帯状ガラスのエッジ領域に接触不能な第１位置から、前記ホイールが前記帯状ガラスのエッジ領域に接触して該エッジ領域を案内し得る第２位置まで前記第２垂直軸の周りを回動可能であり、それぞれがガラス係合面を備えている第２組のホイール、
を備え、
前記第１組および第２組のホイールがそれらの第２位置にあるときには、前記第１組のホイールの前記ガラス係合面と前記第２組のホイールの前記ガラス係合面との間の間隔が、該両ガラス係合面間に配置された前記帯状ガラスのエッジ領域がほぼ垂直な面を維持するのに十分な程度に狭くなるように、前記第１および第２垂直軸の間隔が設定されていることを特徴とする案内アセンブリ。
【請求項２】
前記第１組および第２組のホイールがそれらの第２位置にあるときには、前記第１組のホイールの前記ガラス係合面と前記第２組のホイールの前記ガラス係合面との間の間隔が２０ｍｍ以内であることを特徴とする請求項１記載の案内アセンブリ。
【請求項３】
前記本体は、前記第１垂直軸に連結されたアームと、前記第２垂直軸に連結されたアームとをさらに備え、
前記前記第１垂直軸に連結されたアームは前記第１組のホイールを担持するレールに連結されており、前記前記第２垂直軸に連結されたアームは前記第２組のホイールを担持するレールに連結されていることを特徴とする請求項１または２項記載の案内アセンブリ。
【請求項４】
前記本体、前記第１垂直軸に連結されたアーム、前記第２垂直軸に連結されたアーム、前記第１組および第２組のホイール、前記第１組のホイールを担持するレール、および前記第２組のホイールを担持するレールが、金属材料で構成されていることを特徴とする請求項１から３いずれか１項記載の案内アセンブリ。
【請求項５】
第３組および第４組のホイールを有する第２エッジ案内アセンブリをさらに備え、前記第１組のホイールは前記帯状ガラスの両エッジの一方の前記第１面を案内し、前記第２組のホイールは前記両エッジの一方の前記第２面を案内し、前記第３組のホイールは前記両エッジの他方の前記第１面を案内し、前記第４組のホイールは前記両エッジの他方の前記第２面を案内するよう構成されていることを特徴とする請求項１から４いずれか１項記載の案内アセンブリ。
【請求項６】
前記第１〜第４組のホイールは、垂直軸の周りの回動によって、前記帯状ガラスに対する案内関係に持ち込まれるよう構成されていることを特徴とする請求項５記載の案内アセンブリ。
【請求項７】
成形アセンブリからの帯状ガラスを案内して切り離すための装置であって、
前記帯状ガラスに分離線を形成する罫書きサブアセンブリ、および該分離線において前記帯状ガラスからガラスシートを切り離すシート切離しサブアセンブリを備えた分離アセンブリと、
前記分離アセンブリの前記罫書サブアセンブリの下方に配置される、請求項１から６のいずれか１項記載の案内アセンブリとを備え、
前記シート切離しサブアセンブリにより前記帯状ガラスからガラスシートを切り離す前に、前記エッジ領域の第１面の案内を終了するよう前記案内アセンブリが構成されていることを特徴とする装置。
【請求項８】
前記分離アセンブリは、前記帯状ガラスからの連続的な前記ガラスシートの分離の間の時間の一部分の間に、前記帯状ガラスと同一速度で垂直方向へ移動する少なくとも一つのサブアセンブリを備えていることを特徴とする請求項７記載の装置。
【請求項９】
前記案内アセンブリは、前記帯状ガラスからの連続的な前記ガラスシートの分離の間の時間の一部分の間に、前記帯状ガラスと同一速度で垂直方向へ移動可能に設けられていることを特徴とする請求項８記載の装置。
【請求項１０】
前記案内アセンブリは、前記分離アセンブリの前記少なくとも一つのサブアセンブリの一部に固定されていることを特徴とする請求項９記載の装置。
【請求項１１】
前記案内アセンブリは、前記帯状ガラスからの連続的な前記ガラスシートの分離の間に、垂直方向に移動不能に設けられていることを特徴とする請求項８記載の装置。
【発明の詳細な説明】
【技術分野】
【０００１】
本発明は、液晶ディスプレー（ＬＣＤ）のような表示装置における基板として用いられるガラスシートのようなガラスシートの製造に関するものである。特に本発明は、例えばこのようなディスプレーの製造時において複数の部分に裁断されるときにガラス基板が呈する歪みの量を低減するための方法に関するものである。
【背景技術】
【０００２】
表示装置は種々の用途に用いられている。例えば、薄膜トランジスタ液晶ディスプレー（ＴＦＴ−ＬＣＤ）は、ほんの僅かだけ名前を挙げると、ノートブック・コンピュータ、フラットパネル・デスクトップモニタ、ＬＣＤテレビ、ならびにインターネットおよび通信装置に用いられている。
【０００３】
ＴＦＴ−ＬＣＤパネルおよび有機発光ダイオード（ＯＬＥＤ）のような多くの表示装置は、平坦なガラスシート（ガラス基板）上に直接形成される。生産速度を高めかつコストを低減するために、一般的なパネル製造工程においては、１枚の基板上または基板のサブピース上に多数枚のパネルを同時に作成している。このような工程における種々の時点において、基板は裁断線に沿って小部分に分割される。
【発明の概要】
【発明が解決しようとする課題】
【０００４】
このような裁断は、ガラス内部の応力分布、特にガラスが真空で平坦化されるときに見られる面内応力分布を変化させる。特に裁断は、裁断されたエッジが引っ張られなくなる態様で裁断線において応力を解放する。このような応力解放は一般に、真空で平坦化されたガラスのサブピースの形状変化、すなわちディスプレー製造業者が「歪み」と呼んでいる現象を招来する。形状変化の量は一般に極めて僅かであるが、現代のディスプレーに用いられている画素構造の観点からすると、裁断により生じる歪みは、相当な数の欠陥（不合格）ディスプレーを生じさせる程極めて大きい。したがって、この歪みの問題は、裁断後の歪みを許容範囲の２μｍ以下に抑えることができるかに関して、ディスプレー製造業者および仕様の大きな関心事である。
【０００５】
本発明は、歪みをコントロールすることに関し、特に、下方延伸法、オーバーフロー・ダウンドロー法（フュージョン法としても知られている）および上方延伸法（アップドロー）等のような垂直延伸法によって製造されるガラスシートから裁断されるサブピースにおける歪みをコントロールする方法に関するものである。
【課題を解決するための手段】
【０００６】
第１の様相によれば、本発明は、垂直延伸法を用いたガラスシート（１１）の製造方法が提供され、この方法は、
成形アセンブリ（４１）を用いて、中央領域（５１）および両エッジ領域（５３，５５）を有しかつそれぞれが第１面および第２面を有する帯状ガラス（１３）を形成し、
成形アセンブリ（４１）の下方に配置されかつ帯状ガラス（１３）にその幅方向に沿って分離線（４７）を形成する分離アセンブリ（２０）を用いて、帯状ガラス（１３）から複数のガラスシート（１１）を連続的に切り離し、
帯状ガラスの両エッジ領域（５３，５５）のそれぞれの第１面および第２面の双方を、分離アセンブリ（２０）が分割線（４７）を形成する部位の下方に配置されたエッジ案内アセンブリ（３３）が備える垂直面内に案内する、諸ステップを含む。
【０００７】
本発明の好ましい実施の形態においては、上記案内ステップが、成形アセンブリ（４１）と分離アセンブリ（２０）との間の位置にある、中央領域（５１）の少なくとも一部分の水平方向の動きを低減する。これらの実施の形態においては、上記一部分におけるガラスの温度が、上記ガラスのガラス転移温度範囲内にあることが好ましい。動作に関して如何なる特定の理論にも縛られる意図はないが、このようにして、帯状ガラス（１３）から裁断されたガラスシート（１１）の応力レベルにおける偏差が、例えばガラスシート（１１）の一方のエッジに沿った少なくとも一箇所において低減される。
【０００８】
第２の様相によれば、本発明は、帯状ガラス（１３）のエッジ領域（５３または５５）を垂直面内に案内するためのアセンブリを提供し、このアセンブリは、
第１垂直軸（５９）および第２垂直軸（６１）を備えた本体（４９）、
支持体（６３，６７）上に取り付けられた垂直方向に間隔をおいた第１組のホイール（３５）であって、これらのホイールが帯状ガラス（１３）のエッジ領域（５３または５５）に接触不能な第１位置から、これらのホイールが帯状ガラス（１３）のエッジ領域（５３または５５）に接触してこのエッジ領域を案内し得る第２位置まで第１垂直軸（５９）の周りを回動可能であり、それぞれがガラス係合面（７１）を備えている第１組のホイール（３５）、
支持体（６５，６９）上に取り付けられた垂直方向に間隔をおいた第２組のホイール（３５）であって、これらのホイールが帯状ガラス（１３）のエッジ領域に接触不能な第１位置から、これらのホイールが帯状ガラス（１３）のエッジ領域（５３または５５）に接触してこのエッジ領域を案内し得る第２位置まで第２垂直軸（６１）の周りを回動可能であり、それぞれがガラス係合面（７１）を備えている第２組のホイール（３５）、
を備え、
第１組および第２組のホイール（３５）がそれらの第２位置にあるときには、第１組のホイール（３５）のガラス係合面（７１）と第２組のホイール（３５）のガラス係合面（７１）との間の間隔が、両ガラス係合面（７１）間に配置された帯状ガラス（１３）のエッジ領域（５３または５５）がほぼ垂直な面を維持するのに十分な程度に狭くなるように、第１および第２垂直軸（５９，６１）の間隔が設定されている。
【０００９】
説明を容易にするために、本発明はガラスシートの製造に関して記載されかつ請求項が作成されている。明細書および請求項を通じて、「ガラス」という言葉はガラスおよびガラスセラミック材料の双方をカバーするように意図されていることを理解すべきである。  また、「ガラスの温度」とは、帯状ガラスの中心線における表面温度を意味する。これらの温度は、パイロメータおよび／または接触熱電対を用いるような、種々の公知の技法によって測定可能である。
【００１０】
上述の本発明の種々の様相の概要に用いられている参照番号は、読者の便宜のためのみのものであって、本発明の範囲の制限を意図したものではなく、またそのように解釈されるべきものでもない。さらに、上述の概要の記載および下記の詳細な説明は、本発明の例示に過ぎず、本発明の性質および性格を理解するための概観または枠組みの提供を意図したものである。
【００１１】
本発明のさらなる特徴および利点は、以下の詳細な説明に記載されており、当業者であれば、その一部がすでに明らかであるか、あるいは本発明をここに記載されたように実施することによって認識し得るであろう。添付の図面は、本発明の理解をさらに深めるために提供されているものであって、本明細書に組み込まれ、かつ本明細書の一部分を構成するものである。図面の縮尺は一定ではない。本明細書および図面に開示された本発明の種々の特徴は、その何れかをまたは全てを組合せて用いることが可能なことを理解すべきである。
【図面の簡単な説明】
【００１２】
【図１】延伸法により形成された、そこから個々のガラスシートが裁断される帯状ガラスを示す概略図である。中心線および中央領域に対する帯状ガラスの両エッジ領域の部位が本図に示されている。
【図２Ａ】移動する帯状ガラスからのガラスシートの分離を示す図である。
【図２Ｂ】移動する帯状ガラスからのガラスシートの分離を示す図である。
【図２Ｃ】移動する帯状ガラスからのガラスシートの分離を示す図である。
【図３Ａ】本発明により構成された案内手段の開放位置を示す正面図である。
【図３Ｂ】本発明により構成された案内手段の開放位置を示す平面図である。
【図４Ａ】図３の案内手段の閉鎖位置を示す正面図である。
【図４Ｂ】図３の案内手段の閉鎖位置を示す平面図である。
【図５】ガラスシート形成ラインの一部として据え付けられた図３および図４の案内手段を示す図である。
【図６Ａ】不動のエッジ案内アセンブリを示す図である。
【図６Ｂ】分離アセンブリとともに移動するエッジ案内アセンブリを示す図である。
【図７Ａ】分離線の下方における帯状ガラスの水平方向の動きを制限せずに得られる応力レベルの偏差を示す実験データのグラフである。
【図７Ｂ】分離線の下方における帯状ガラスの水平方向の動きを制限することによって得られる応力レベルの偏差の低下を示す実験データのグラフである。
【発明を実施するための形態】
【００１３】
図１は中央領域５１（帯状ガラスの高品質部分）および両エッジ領域５３，５５（品質を問わない帯状ガラスの部分または「ビード」部分）を含む帯状ガラス１３を表し、両エッジ領域は、これらのエッジ領域に単数または複数のエッジまたは牽引ホイールが接触した結果、一般にギザギザになっている。また図１には、帯状ガラスの中心線５７および帯状ガラスから個々のガラスシート１１が切り離される分離線４７が示されている。
【００１４】
図２Ａ，図２Ｂおよび図２Ｃは、個々のガラスシート１１を帯状ガラス１３から切り離すために、本発明により用いることができる適当な分離アセンブリ２０を示す。この形式の分離アセンブリは、その内容が引例として本明細書に組み入れられる米国特許第６,６１６,０２５号明細書に開示されている。勿論、もし必要であれば、異なる構成および機能を有する他の機器も本発明の実施に使用することが可能である。
【００１５】
図２Ａ，図２Ｂおよび図２Ｃのそれぞれにおいて、参照番号４１は、例えばＬＣＤガラスを製造するためのオーバーフロー・ダウンドロー形式の成形アセンブリのような、帯状ガラス１３を製造する成形アセンブリを表す。この形式の成形アセンブリは従来から知られているので、本発明の説明を曖昧にしないために、その詳細説明は省略する。勿論、他の形式のガラス成形装置（例えばスロットドロー・アセンブリ）を用いることもできる。オーバーフローシステムと同様に、これらの装置は、ガラス製造における職人技能の範囲内である。
【００１６】
図２Ａ，図２Ｂおよび図２Ｃにおける参照番号４３は、分離されたシートを製造工程の次の段階、例えばエッジ整形ステーション、検査ステーション等に搬送させるための、ガラスシートグリッパ４５を備えたガラスシート搬送システムを表す。この形式の装置も従来から当業者に知られているので、やはり本発明の説明を曖昧にしないために、その詳細説明は省略する。勿論、図示以外の装置を本発明の実施に使用してもよい。
【００１７】
図２Ａは、帯状ガラス１３のリーディングエッジが罫書きサブアセンブリ２１を通過して、シート切離しサブアセンブリ１５の領域内に入った時点における全体のシステムを示す。罫書きサブアセンブリ２１は、アンビル２３、罫書き２５および罫書き搬送機２７を備えることができる。もし必要であれば、例えばレーザーを用いたシステムのような他の形式の罫書きシステムを用いることはできるが、罫書きサブアセンブリは、従来と同様に、可動罫書き／可動アンビル形式のものとすることができる。
【００１８】
シート切離しサブアセンブリ１５は、シート係着部材１９、例えばガラスシート１１の長さおよび幅よりも小さい四角形の四隅に配置された４個の板ガラス係着部材１９を取り付けたフレーム１７を備えることができる。板ガラス係着部材１９は、例えば柔らかい真空吸引カップとすることができるが、必要に応じて、例えばクランプのような、ガラスシートを拘束するための他の装置を用いてもよい。
【００１９】
シート切離しサブアセンブリ１５は、コネクタアセンブリ３１を介してフレーム１７に連結された搬送機２９を備えている。搬送機２９は、フレームおよびコネクタアセンブリに直線運動および回転運動を与える産業ロボットおよび／または固定された自動機とすることができる。一旦、分離線４７におけるガラスシートの帯状ガラスからの分離が行なわれると、コネクタアセンブリ３１は、フレーム１７および取り付けられた１枚のガラスシートが搬送機に対して制御された態様で「下方への移動」を受けることができるのが好ましい。
【００２０】
図２Ｂは、罫書き２５による帯状ガラス１３における分離線４７の形成を示す。本図にも示されているように、板ガラス係着部材１９はすでにガラスシートに係着されている。この係着は、ガラスシートが罫書かれる以前または以後のいずれに行われてもよい。係着は、例えば柔らかい真空吸引カップのような十分に柔らかい係着部材の使用と組み合わせた板ガラス係着部材の確実な配置によって達成される。
【００２１】
もし罫書き後に上記係着がなされた場合には、この係着が、帯状ガラスからガラスシートを時期尚早に分離させるおそれのある罫書き線の周りに曲げモーメントを発生させないようにすべきである。すなわち、この係着は、ガラスの平面を維持しながら行なうことを要する。最上位の係着部材と罫書き線との間の距離を調整することによって、係着時の曲げモーメントを低減させることができる。
【００２２】
ガラスシートの取り外しサブアセンブリ１５がガラスに対し罫書きの以前に係着されようと、以後に係着されようと、上記サブアセンブリは、帯状ガラスからガラスシートを分離させる曲げモーメントが印加される以前にガラスに係着される必要がある。ガラスの平面が維持されている限り、帯状ガラス１３はたとえ罫書かれるときであっても実質的な重量を支えている。上記分離線が開きかつ引っ張り力／圧縮力勾配をガラス内に生じさせる曲げモーメントの印加によって、ガラスシートを通じて駆動されるときにのみ、ガラスシートはその強度を失う。
【００２３】
図２Ｃは曲げモーメントの印加を示す。本図に示されているように、上記曲げモーメントは、回転が発生する支点としてのアンビル２３を用いて、ガラスシートの第１面（罫書かれない側）の周りに印加されるのが好ましい。この好ましい実施の形態においては、コネクタアセンブリ３１は、分離されたガラスシートの後縁を、直ちに帯状ガラスの前縁から遠ざける。このようにして、エッジの損傷を最少にすることができる。
【００２４】
実際には、帯状ガラス１３が成形アセンブリ４１を後にするにつれて、ガラスがカールして垂直方向の移動を維持しない傾向がある。帯状ガラスの長さが増大するにつれて、その重量によってガラスを垂直面に引き戻されることになる。シート切離しサブアセンブリの底部の高さにおいてほぼ５０ｍｍ程度以上となり得るこの動きは、帯状ガラスのその長さ方向に沿った形状の一時的な変化を招く。特に、この動きは、このガラスのガラス転移温度範囲（ＧＴＴＲ）を通過する帯状ガラスのその部分の形状変化を招く。
【００２５】
フュージョン法またその他の形式のガラス製造工程において、帯状ガラスが冷えるにつれて、帯状ガラスを構成しているガラスは、物理的な寸法変化のみでなく分子レベルの複雑な構造変化に直面する。例えば、成形アセンブリから分離アセンブリまで移動するにつれて、帯状ガラスの冷却を注意深くコントロールすることにより、フュージョン法において用いられるアイソパイプの底部における厚さ約５０ｍｍの柔軟な液体から厚さ約０．５ｍｍの硬いガラスシートへの移行が達成される。
【００２６】
ガラスがそのＧＴＴＲを通過するにつれて、冷却過程の臨界的部分が発生する。特に、ＧＴＴＲは、ＧＴＴＲ内およびＧＴＴＲの上下の双方におけるガラスの挙動のために、歪みに関して重要な役割を演ずる。ＧＴＴＲの上方にある、より高い温度において、ガラスは基本的に液体のように振舞い、すなわち、印加される応力に対する応答は歪み速度であり、粘性応答は本質的に検知不能である。
【００２７】
ガラスが高温から冷えてＧＴＴＲを通過するとき、液体のような振舞いから固体のような振舞いへの突然の転移は示さない。その代わりに、ガラスの粘度が徐々に増大し、粘性応答および弾性応答が顕著になり、最終的に固体のように振舞う。ガラスがこの過程を通り過ぎるにつれて、ガラス内の応力の量に影響を与え得る永久的な形状を呈し、ガラスが、例えばＬＣＤディスプレーの製造においてサブピースに裁断されるときに多量の歪みが現れる。
【００２８】
本発明によれば、長さが増大するにつれて重量が増大することに起因する帯状ガラスの形状の変化は、ＧＴＴＲ内における帯状ガラスの形状における変化を、したがって、帯状ガラスから裁断されるガラスシートの応力レベルの偏差を「凍結」することができることが判明した。特に、この形状の変化（または帯状ガラスの部分の垂直面からの等価的な移動）がシート形成サイクル中に生じるので、上部および底部が異なる形状を有し、したがって種々の応力値およびこれらの応力値における種々の偏差を有するガラスシートとなるのである。両エッジ間における応力値のこれらの偏差は、それがサブピースに裁断されたときにシートに関する歪み値に影響を与える。
【００２９】
ＬＣＤディスプレーのような製品の製造に利用されるガラスシートの長さが増大するにつれて（例えば９６５ｍｍを超えるまで）、成形アセンブリの下方の帯状ガラスの面振れの機会が増す。より薄いガラスシート、例えば厚さが０．５ｍｍのような０．７ｍｍ未満のシートは、より多くの面振れを示す。より大きい形状変化もやはり、一般的に帯状ガラスから裁断されたガラスシートの応力レベルおよび応力変動性のレベルを増大させる。したがって、ガラス内の応力変動性のレベルを効果的に低下させるためには、形状の変動性をコントロールする必要がある。
【００３０】
本発明によれば、ガラスシート分離サイクル中にＧＴＴＲ内にある帯状ガラスの形状の変動性は、少なくともかなりの部分において、分離線の下方の部位における、すなわち実質的にＧＴＴＲよりも下方にある部位における帯状ガラスの動きに左右されることが判明した。この動きは、帯状ガラスの上方へ転送され、ＧＴＴＲにあるガラス内に固定されることになる。
【００３１】
ＧＴＴＲ内にある帯状ガラスの動きの量を低減するために、本発明は、分離線の下方の帯状ガラスの動きに対する機械的な制限手段を提供するものである。この制限手段は、帯状ガラスの長さの増大および個々のガラスシート分離を通じて帯状ガラスを垂直面内に保持する機能を有する。この制限動作は、裁断されかつ帯状ガラスから切り離される以前のガラスシートの水平方向の動きを低減し、換言すると、上記制限動作は、ＧＴＴＲにある帯状ガラスの水平方向の動きを含む、分離アセンブリの上方の部位における帯状ガラスの水平方向の動きを低減する。このようにして、応力変動性レベルを低減されたガラスシートが得られる。特に、多くのサンプルに亘って応力がより一貫性を有するものとなり、頂部エッジにおける応力が底部エッジにおける応力により等しくなる。
【００３２】
例えば、分離線の下方において水平方向の動きを制限された帯状ガラスから生産された５０枚の一連のガラスシートの母集団を、同じ条件ではあるが上述のような制限を受けない条件の下で生産された５０枚の一連のガラスシートの母集団と少なくとも一箇所の部位において比較すると、より低い応力値の標準偏差を有する。例えば応力変動性は、標準偏差で約２０７Ｐａ（３０psi ）から約６９Ｐａ（１０psi ）に低減することができる。
【００３３】
従来から知られているように、応力レベルは、複屈折測定法を用いてガラスシートの一箇所以上の部位で測定することができる。このような測定は一般に、ガラスシートが平坦な表面に真空吸引されている状態で行なわれる。測定は、ガラスシートの二次元平面全体に亘って分布された部位において、あるいは限られた数の部位において、例えばガラスシートの一つ以上のエッジに沿って、および／またはガラスシート上の所定の基準部位において、例えばガラスシートがサブピースに分割される線の近傍の部位において行なうことができる。
【００３４】
ガラスの品質を損なわないために、本発明の上記制限は帯状ガラスのエッジ領域に沿って施される。すなわちこの制限は、帯状ガラスをその高品質領域に接触することなしに安定させる。また、好ましい実施の形態においては、帯状ガラスに制限を施すのに用いられる装置は、現存する分離アセンブリに対する最小限の変更によって、あるいは変更なしに直ちに組込み可能な構成を有する。
【００３５】
図３および図４は、本発明のエッジ案内アセンブリに利用可能な代表的な装置を示し、図５は、代表的な成形装置４１、罫書きサブアセンブリ２１、およびガラスシート切離しサブアセンブリを備えたこの装置の組合せを示す。これらの図に見られるように、この装置は、帯状ガラスの品質を問わない双方のエッジ領域における帯状ガラスの前(第１)面および背(第２)面上に配置し得る案内ホイールによって形成される垂直面を提供する。
【００３６】
より詳細に説明すると、図３Ａおよび図４Ａは、エッジ案内装置の正面図、図３Ｂおよび図４Ｂは平面図である。図３は、開放、非案内状態にある装置を示し、図４はエッジ案内状態にある装置を示す。これら二つの状態間の移動は、電動モータまたは圧縮空気駆動（好ましい）を用いて行なうことができる。図示されてはいないが、この装置は、例えば帯状ガラスからの個々のガラスシートの切離しを一組のホイールが妨害する恐れがあるので、その一組のホイール３５のみを帯状ガラス１３から離すように構成されていることが好ましい。
【００３７】
これらの図に示されているように、この装置は、第１垂直軸５７および第２垂直軸６１（例えば一対の軸が本体に取り付けられている）と、これらに回動可能に連結されたアーム６３および６５とを備えた本体４９を有する。アーム６３および６５はまた、ガラスに対する係合面７１が一つの垂直面上に上下に整列している複数のホイール３５を担持しているレール６７および６９に連結されている。図３〜図５には３個のホイール３５が示されているが、本発明の実施に際しては、これよりも多いまたは少ないホイールを必要に応じて用いることができる。使用されるホイール群の垂直方向長さおよび数は、一般に生産される個々のガラスシートの長さに関連し、より長いガラスシートに対しては、垂直方向の長さがより長い、かつより多いホイールが用いられる。
【００３８】
このエッジ案内アセンブリは分離アセンブリの下方に配置されるので、工程のこの時点におけるガラスの温度は比較的低い。このことは、このアセンブリを構成するのに種々の材料の使用を可能にする。例えば、本体４９、アーム６３および６５、レール６７および６９、ならびにホイール３５は、アルミニウムのような通常の金属材料で構成することができる。勿論、他の材料も必要に応じて用いることができる。また、ホイール３５は過熱を避けるために駆動を必要としないが、帯状ガラスのエッジ領域に対する表面接触によって簡単に回転運動が得られる。しかしながら、必要に応じて駆動ホイールを用いることができる。ホイールを用いること以外に、本発明のエッジ案内アセンブリは、分離線の下方における帯状ガラスの水平方向の動きをコントロールするために、両エッジ領域の第１面および第２面に配置された摩擦係数の低いパッドのような、他の手段を用いることができる。
【００３９】
実際に、図３および図４に示されているような二つの案内手段が用いられる場合、それらの一方はエッジ領域５３を案内し、他方はエッジ領域５５を案内する（図１参照）。各案内手段は、分離線の下方へ延びるときのガラスの垂直面に一致するように調整される。このようにして、これら案内手段は、両エッジが同一の垂直面内にない帯状ガラスとともに用いることができる。
【００４０】
この案内手段のガラス係合面は、これらの係合面とガラスとの間の間隔が個別に調整することが可能なように、水平面内で独立的に移動可能なことが好ましい。一般に、両ガラス係合面と帯状ガラスとの間の間隔は約１０ｍｍ未満であり、その結果、帯状ガラスの第１面に係合するガラス係合面と、第２面に係合するガラス係合面との間の全体の間隔は２０ｍｍ未満である。上述のように、帯状ガラスの第１面はガラスの罫書かれない側であり、第２面は罫書かれる側であり、ガラスシートは帯状ガラスから第１面の方向に切り離される。
【００４１】
勿論、本発明の実施を実施する場合に、ガラス係合面間の間隔は、帯状ガラスの平坦性と、帯状ガラスから裁断されたガラスシートにおける測定された応力レベルのような変数に応じて、より狭くもより広くもすることができる。十分な可撓性を与えるために、案内手段は、この案内手段のガラス係合面と帯状ガラスのとの間の間隔を０ｍｍと２０ｍｍとの間にすることが可能であることが好ましい。
【００４２】
実際に、帯状ガラスの第１面上の一組のホイールは、個々のガラスシートが、例えば罫書き線の周りの曲げによってから切り離されることができるように、帯状ガラスの面から離される。帯状ガラスの第２面上の一組のホイールは、個々のガラスシートが係合されかつ切り離されるときに帯状ガラスに係合されたままになって帯状ガラスを同一面内に保持する。あるいは、帯状ガラスの第２面上の一組のホイールが、ガラスシート分離工程中、ガラスシートから離れていてもよい。
【００４３】
上記案内手段は、ガラスシート切離しサイクル中に垂直方向に移動するように取り付けられていても、固定されていてもよい。図６Ａおよび図６Ｂは、二種類の可能性を示す。これらの図において、矢印７３は分離アセンブリ２０の少なくとも一部の動きを示し、矢印７５は帯状ガラス１３の動きを示す。図６Ａにおける線３７は、エッジ案内アセンブリが成形装置４１に対して固定的である場合を概略的に示し、図６Ｂにおける線３９は、エッジ案内アセンブリが分離アセンブリの少なくとも一部とともに移動することを概略的に示す。例えば、エッジ案内アセンブリは、分離アセンブリの罫書きサブアセンブリの一部に固定されることが可能で、ガラスシートの形成および切離しサイクル中は上記罫書きサブアセンブリの一部とともに垂直方向へ移動可能である。
【００４４】
いかなる態様にも限定する意図はないが、本発明の具体例について以下に詳細に説明する。
【実施例】
【００４５】
フュージョン法によって製造されかつ０．５ｍｍの厚さを有する帯状ガラスを、分割線の下方においてその両エッジに沿って水平面内の動きを人の手によって制限した。このような制限を受けてまたは受けないで製造された連続的なサンプルの応力測定を行った。特に、応力測定はガラスシートの四つのエッジに沿って行った。
【００４６】
帯状ガラスを製造するのに用いられるアイソパイプに対するガラスの取入れ口に最も近い帯状ガラスの側部に対応するエッジに関して、最も高い応力レベルの偏差が観察された。それらの応力レベルが、制限が施されない場合に関する図７Ａに示されている。図７Ｂは、制限が上述のように制限が施された場合の同じエッジの結果を示す。応力レベル偏差における著しい低下が明らかである。応力レベル偏差における低下は他の３個のエッジに関しても見られるが、制限が施されない状態に関する応力レベルは低いので、水平方向の動きを制限することによって得られる応力レベルの低下はより少ない。
【００４７】
以上、本発明の具体的な実施の形態について説明かつ図示したが、本発明の精神および範囲から離れることなしに種々の変更が可能なことを理解すべきである。
【００４８】
例えば、上述の具体例は厚さ０．５ｍｍのガラスを用いたが、本発明は、例えば約０．１から２．０ｍｍ台までの種々の厚さを有するガラスを用いることができる。さらに本発明は、ディスプレーに用いられる如何なる形式のガラスの製造にも、または薄いガラスシートが役に立つ他の用途のガラスの製造にも利用することができる。代表的な例として、コーニング社の１７３７番またはEagle ２０００番のガラス、または他の製造業者によって製造されるディスプレー用のガラスがある。
【００４９】
本発明の精神および範囲から離れることなしに種々の変形、変更が可能なことは、上述の説明から当業者には明らかであろう。添付の請求項は、上述の特定の実施の形態のみでなく、そのような変形、変更をもカバーすることを意図するものである。
【符号の説明】
【００５０】
１１    ガラスシート
１３    移動する帯状ガラス
１５    ガラスシート切離しサブアセンブリ
１７    フレーム
１９    板ガラス係着部材
２０    分離アセンブリ
２３    アンビル
２５    罫書き
２７    罫書き搬送機
２９    搬送機
３１    コネクタアセンブリ
３３    エッジ案内アセンブリ
３５    エッジ案内アセンブリのホイール
３７    不動のエッジ案内アセンブリを示す概略線
３９    可動のエッジ案内アセンブリを示す概略線
４１    帯状ガラス１３を生産する成形アセンブリ
４３    板ガラス搬送システム
４５    板ガラスグリッパ
４７    分離線
４９    エッジ案内アセンブリの本体
５１    帯状ガラスの中央領域
５３，５５    帯状ガラスのエッジ領域
５７    帯状ガラスの中心線
５９    第１垂直軸
６１    第２垂直軸
６３    第１支持アーム
６５    第２支持アーム
６７    第１支持レール
６９    第２支持レール
７１    ホイール３５のガラス係合面
７３    分離アセンブリ２０の少なくとも一部の動きを示す矢印
７５    帯状ガラス１３の動きを示す矢印
【図１】
0005469189.tif 000002
【図２Ａ】
0005469189.tif 000003
【図２Ｂ】
0005469189.tif 000004
【図２Ｃ】
0005469189.tif 000005
【図３Ａ】
0005469189.tif 000006
【図３Ｂ】
0005469189.tif 000007
【図４Ａ】
0005469189.tif 000008
【図４Ｂ】
0005469189.tif 000009
【図５】
0005469189.tif 000010
【図６Ａ】
0005469189.tif 000011
【図６Ｂ】
0005469189.tif 000012
【図７Ａ】
0005469189.tif 000013
【図７Ｂ】
0005469189.tif 000014